(57)【特許請求の範囲】
【請求項１】
ＬＥＤが搭載されたＬＥＤ基板を実質的に閉じられた空間に収容する第１筐体と、
前記ＬＥＤを制御する制御部を実質的に閉じられた空間に収容する第２筐体と、
前記第１筐体及び前記第２筐体を実質的に熱分離した状態で連結する連結部と、
前記第１筐体及び前記第２筐体の互いに対向する対向面の間に設けられ、空気吸込側が前記第２筐体を向くとともに、空気吐出側が対向面に沿って外側を向くように設けられたファン機構と、
前記第２筐体の対向面において、前記ファン機構の空気吸込側に対向する位置に一端開口が形成され、前記第２筐体の対向面とは異なる面に他端開口が形成された空気通路と、
前記第１筐体及び前記第２筐体の対向面の少なくとも一方において、前記ファン機構の周囲に設けられた複数の放熱フィンとを備え、
前記制御部が、部分略円環状又は略円環状をなす制御基板を有するものであり、
前記空気通路が、前記制御基板の中央の孔を通るように形成されており、
前記空気通路を形成する通路形成壁が、前記制御基板を収容する収容空間と空気通路とを仕切るものであるＬＥＤ光源装置。
【請求項２】
ＬＥＤが搭載されたＬＥＤ基板を収容する第１筐体と、
前記ＬＥＤを制御する制御部を収容する第２筐体と、
前記第１筐体及び前記第２筐体を実質的に熱分離した状態で連結する連結部と、
前記第１筐体及び前記第２筐体の互いに対向する対向面の間に設けられ、空気吸込側が対向面に沿って外側を向くとともに、空気吐出側が前記第２筐体を向くように設けられたファン機構と、
前記第２筐体の対向面において、前記ファン機構の空気吐出側に対向する位置に一端開口が形成され、前記第２筐体の対向面とは異なる面に他端開口が形成された空気通路と、
前記第１筐体及び前記第２筐体の対向面の少なくとも一方において、前記ファン機構の周囲に設けられた複数の放熱フィンと、
前記制御部が、部分環状又は環状をなす制御基板を有するものであり、
前記空気通路が、前記制御基板の中央の孔を通るように形成されており、
前記空気通路を形成する通路形成壁が、前記制御基板が収容される収容空間と空気通路とを仕切るものであるＬＥＤ光源装置。
【請求項３】
前記空気流路の他端開口が複数形成されている請求項１又は２記載のＬＥＤ光源装置。
【請求項４】
前記ファン機構の故障を検知する故障検知部をさらに備え、
前記故障検知部により前記ファン機構の故障を検知した場合に前記ＬＥＤの点灯を停止する請求項１、２又は３記載のＬＥＤ光源装置。
【請求項５】
前記ＬＥＤが、紫外光を射出するＬＥＤ素子と、当該ＬＥＤ素子を被覆して設けられたＲＧＢの蛍光体を含有する励起層を有するものである請求項１、２、３又は４記載のＬＥＤ光源装置。
【請求項６】
前記ＬＥＤ光源装置が、電球型のものである請求項１、２、３、４又は５記載のＬＥＤ光源装置。
【発明の詳細な説明】
【技術分野】
【０００１】
本発明は、発光ダイオード（以下、ＬＥＤという。）を用いた光源装置に関するものである。
【背景技術】
【０００２】
従来、ＬＥＤを用いた光源装置としては、特許文献１に示すように、ＬＥＤが搭載されたＬＥＤ基板を収容する第１筐体（覆部及び基盤）と、駆動回路部を収容する第２筐体（回路収容部）と、第１筐体及び第２筐体を連結する保持柱とを備えるものがある。そして、ＬＥＤから生じる熱を外気に放出するために保持柱には放熱部が設けられている。
【０００３】
しかしながら、上記の光源装置では、第１筐体及び第２筐体を連結する保持柱を介して、放熱部にＬＥＤからの熱を伝えるようにしていることから、ＬＥＤからの熱が放熱部だけでなく、第２筐体に伝わってしまう。また、駆動回路部がＬＥＤよりも高温の場合には、当該駆動回路部からの熱が第１筐体に伝わってしまう。つまり、上記の光源装置は、ＬＥＤ及び駆動回路部の熱分離が不十分であるという問題がある。
【０００４】
また、特許文献２に示すように、ＬＥＤ基板を収容する第１筐体（板状部及びカバー部材）と、制御回路を収容する第２筐体（下部筺体）と、第１筐体及び第２筐体をそれらの側周面に亘って連結する第３筐体（筐体）とを備えるものがある。そして、第３筐体の内部にＬＥＤ基板と熱的に接合された放熱部材を設けると共に、当該筐体に開口部を形成している。
【０００５】
しかしながら、第３筐体が、第１筐体及び第２筐体の側周面を全体に亘って連結するものであり、熱分離が不十分であるという問題がある。また、放熱部材がＬＥＤ基板側にのみ設けられており、制御回路を収容する第２筐体の放熱に関しては全く考慮されていない。このようなものでは、制御回路が熱影響を受けてしまい故障等の原因となる。
【０００６】
これら問題は、要は、そもそも熱分離の必要性についての明確な課題が認識されていないことに起因する。
【０００７】
さらに、特許文献３に示すように、ランプ筐体、ＬＥＤ光源、ヒートシンク、制御回路及びファンを備えたＬＥＤランプがある。そして、ランプ筐体は、収納空間、複数の吸気口及び排気口を有し、その収納空間内にＬＥＤ光源、ヒートシンク及び制御回路が配置されている。さらに収納空間内にはファンが設けられており、このファンによって外部からの空気が吸気口を介して収納空間に流入し、ヒートシンクの熱放散フィン間を流れ、その後、排気口を介して外部に流出する。このように、上記のランプは、収納空間内にファンを設けることによって、ＬＥＤ光源の熱放散を促進する。
【０００８】
しかしながら、ＬＥＤ光源及び制御回路が１つのランプ筐体に固定されており、ＬＥＤ光源と制御回路との熱分離が不十分である。つまり、ＬＥＤ光源からの熱は、ランプ筐体を介して、制御回路に伝わってしまうという問題がある。
【先行技術文献】
【特許文献】
【０００９】
【特許文献１】特開２００８−２９３７５３号公報
【特許文献２】特開２００８−２０４６７１号公報
【特許文献３】特開２００９−４８９９４号公報
【発明の概要】
【発明が解決しようとする課題】
【００１０】
そこで本発明は、ＬＥＤと当該ＬＥＤを制御する制御部とをそれぞれ最適な動作温度とすべく、それらの各温度を独立して調整可能にするものであり、ＬＥＤと制御部とを熱的に分離して互いに熱影響を与えにくくするとともに、両方の許容温度に応じたフィン形状をそれぞれ最適なものにすることをその主たる所期課題とするものである。
【課題を解決するための手段】
【００１１】
すなわち本発明に係るＬＥＤ光源装置は、ＬＥＤが搭載されたＬＥＤ基板を実質的に閉じられた空間に収容する第１筐体と、前記ＬＥＤを制御する制御部を実質的に閉じられた空間に収容する第２筐体と、前記第１筐体及び前記第２筐体を実質的に熱分離した状態で連結する連結部と、前記第１筐体及び前記第２筐体の互いに対向する対向面の間に設けられ、空気吸込側が前記第２筐体を向くとともに、空気吐出側が対向面に沿って外側を向くように設けられたファン機構と、前記第２筐体の対向面において、前記ファン機構の空気吸込側に対向する位置に一端開口が形成され、前記第２筐体の対向面とは異なる面に他端開口が形成された空気通路と、前記第１筐体及び前記第２筐体の対向面の少なくとも一方において、前記ファン機構の周囲に設けられた複数の放熱フィンとを備え、前記制御部が、部分略円環状又は略円環状をなす制御基板を有するものであり、前記空気通路が、前記制御基板の中央の孔を通るように形成されており、前記空気通路を形成する通路形成壁が、前記制御基板を収容する収容空間と空気通路とを仕切るものであることを特徴とする。
【００１２】
このようなものであれば、ＬＥＤ基板を第１筐体に収容し、制御部を第２筐体に収容するとともに、それら筐体を実質的に熱分離した状態で連結しているので、ＬＥＤからの熱を制御部に伝えにくくするとともに、制御部からの熱をＬＥＤに伝えにくくすることができる。このような構成により、両方の許容温度に応じたフィン形状をそれぞれ最適なものにすることによって、ＬＥＤと制御部とを個別に温度制御できるようになり、ＬＥＤと制御部とをそれぞれ最適な動作温度に調整できる。
また、第２筐体に設けた空気通路の一端開口をファン機構の空気吸込側に対向した位置に設けているので、ファン機構への空気の供給も十分に行うことができるとともに、ファン機構の吸気負担を軽減することができる。さらに第２筐体内に空気が流れることになり第２筐体及び制御部を冷却することもできる。このとき、制御部の制御基板が略円環状等をなし、当該制御基板の中央の孔を通るように空気通路が形成されるとともに、その通路形成壁が制御基板を収容する収容空間と空気通路とを仕切るものであるため、空気通路を空気が通る際に、通路形成壁を介して制御部の熱を奪うことになり、制御部を効率良く冷却することができる。
さらに、通路形成壁により収容空間と空気通路とが仕切られているため、空気中に含まれる塵や埃が制御部に付着や堆積等して制御部が故障してしまう恐れを防ぐことができる。
その上、ファン機構の空気吐出側を対向面に沿って外側を向くように設け、このファン機構を取り囲むように複数の放熱フィンが設けているので、放熱フィンの間に十分な空気を供給することができ、冷却効果を向上させることができる。
その上、空気通路の他端開口が、第２筐体の対向面とは異なる面に設けられていることから、放熱フィンを通り暖まった空気が再び空気通路に流れ込むことを防止することができる。
【００１３】
また本発明に係るＬＥＤ光源装置は、ＬＥＤが搭載されたＬＥＤ基板を収容する第１筐体と、前記ＬＥＤを制御する制御部を収容する第２筐体と、前記第１筐体及び前記第２筐体を実質的に熱分離した状態で連結する連結部と、前記第１筐体及び前記第２筐体の互いに対向する対向面の間に設けられ、空気吸込側が対向面に沿って外側を向くとともに、空気吐出側が前記第２筐体を向くように設けられたファン機構と、前記第２筐体の対向面において、前記ファン機構の空気吐出側に対向する位置に一端開口が形成され、前記第２筐体の対向面とは異なる面に他端開口が形成された空気通路と、前記第１筐体及び前記第２筐体の対向面の少なくとも一方において、前記ファン機構の周囲に設けられた複数の放熱フィンと、前記制御部が、部分環状又は環状をなす制御基板を有するものであり、前記空気通路が、前記制御基板の中央の孔を通るように形成されており、前記空気通路を形成する通路形成壁が、前記制御基板が収容される収容空間と空気通路とを仕切るものであることを特徴とする。
【００１４】
このようなものであれば、ＬＥＤ基板を第１筐体に収容し、制御部を第２筐体に収容するとともに、それら筐体を実質的に熱分離した状態で連結しているので、ＬＥＤからの熱を制御部に伝えにくくするとともに、制御部からの熱をＬＥＤに伝えにくくすることができる。このような構成により、両方の許容温度に応じたフィン形状をそれぞれ最適なものにすることによって、ＬＥＤと制御部とを個別に温度制御できるようになり、ＬＥＤと制御部とをそれぞれ最適な動作温度に調整できる。
また、第２筐体に設けた空気通路の一端開口がファン機構の空気吐出側に対向して形成され、その他端開口が第２筐体の対向面とは異なる面に他端開口が形成されていることから、放熱フィンを通って暖まった空気を好適に外部に排出することができる。さらに第２筐体内に空気が流れることになり第２筐体及び制御部を冷却することもできる。このとき、制御部の制御基板が略円環状等をなし、当該制御基板の中央の孔を通るように空気通路が形成されるとともに、その通路形成壁が制御基板を収容する収容空間と空気通路とを仕切るものであるため、空気通路を空気が通る際に、通路形成壁から制御部の熱を奪うことになり、制御部を効率良く冷却することができる。
さらに、通路形成壁により収容空間と空気通路とが仕切られているため、空気中に含まれる塵や埃が制御部に付着や堆積等して制御部が故障してしまう恐れを防ぐことができる。
その上、ファン機構の空気吸込側を対向面に沿って外側を向くように設け、このファン機構を取り囲むように複数の放熱フィンが設けているので、ファン機構に流れ込む空気が放熱フィンの間を通り熱を奪うことになり、冷却効果を向上させることができる。
このとき、空気通路の他端開口が、第２筐体の対向面とは異なる面に設けられていることから、空気通路を通り外部に排出された空気が再び放熱フィンを介して一端開口から空気通路に流れ込むことを防止することができる。
【００１５】
空気通路内の空気の流れをスムーズにするとともに、第２筐体の熱分布を均一にできるようにするためには、前記空気流路の他端開口が複数形成されていることが望ましい。
【００１６】
ファン機構の故障後にＬＥＤを点灯し続けた場合、ＬＥＤ及び制御部それぞれが熱を持ってしまい故障するという問題がある。この問題を解決するためには、前記ファン機構の故障を検知する故障検知部をさらに備え、前記故障検知部により前記ファン機構の故障を検知した場合に前記ＬＥＤの点灯を停止することが望ましい。
【発明の効果】
【００１７】
このように構成した本発明によれば、ＬＥＤとＬＥＤを制御する制御部とを熱的に分離して互いに熱影響を与えにくくするとともに、両方の許容温度に応じたフィン形状をそれぞれ最適なものにすることができる。
【図面の簡単な説明】
【００１８】
【図１】本発明の一実施形態に係るＬＥＤ光源装置の上方から見た斜視図である。
【図２】同実施形態に係るＬＥＤ光源装置の下方から見た斜視図である。
【図３】同実施形態のＬＥＤ光源装置の模式的断面図である。
【図４】同実施形態のＡ−Ａ線断面図である。
【図５】放熱フィンの変形例を示す内部構造を省略した断面図である。
【図６】放熱フィンの変形例を示す内部構造を省略した断面図である。
【図７】変形実施形態に係るＬＥＤ光源装置を模式的に示す側面図である。
【図８】放熱フィンの形成方法を示す斜視図である。
【発明を実施するための形態】
【００１９】
以下に本発明に係るＬＥＤ光源装置の一実施形態について図面を参照して説明する。
【００２０】
＜装置構成＞
本実施形態に係るＬＥＤ光源装置１００は、図１〜図３に示すように、概略回転体形状をなす電球型のものであり、１又は複数のＬＥＤ２１１が搭載されたＬＥＤ基板２１を収容する第１筺体２２と、ＬＥＤ２１１に供給する電圧等を制御する制御部２３を収容する第２筺体２４と、第１筐体２２及び第２筐体２４の互いに対向する対向面２２ａ、２４ａの間に設けられて、第１筐体２２及び第２筐体２４を実質的に熱分離した状態で連結する連結部材２５と、第１筐体２２及び第２筐体２４の互いに対向する対向面２２ａ、２４ａの間に設けられ、空気吸込側である空気吸込口２６ａが第２筐体を向くとともに、空気吐出側である空気吐出口２６ｂが対向面２２ａ、２４ａに沿って外側を向くように設けられたファン機構２６とを備えている。
【００２１】
第１筺体２２は、図１〜図３に示すように、先端側が概略部分球形状をなすものであり、第１筺体２２の後端壁２２１にはＬＥＤ基板２１が密着して設けられている。この第１筐体２２は、ＬＥＤ基板２１を実質的に閉じられた空間に収容して、ＬＥＤ基板２１を外気と隔絶するものである。これにより、第１筐体２２のＬＥＤ基板２１の収容空間内に外気からの埃や塵等が侵入しないように構成している。具体的に、第１筐体２２のＬＥＤ基板収容空間は、配線用の孔を除いてその他の部分が閉じられている。また、第１筐体２２の概略部分球形状部分２２２は、ＬＥＤ２１１からの光を拡散させる拡散部材により形成されている。なお、第１筐体２２の形状及び構成は図２に限られず、種々の形状及び構成とすることができる。例えば、第１筐体２２がＬＥＤ及びＬＥＤに対応して設けられた集光レンズを収容し、当該集光レンズから出る光を直接外部に射出する構成としても良い。
【００２２】
第２筺体２４は、図１〜図３に示すように、一端（後端）にソケット部に接続される口金部２４１を有し、内部に当該口金部２４１からの供給される電力をＬＥＤ２１１に制御して供給する制御部２３を収容している。この第２筐体２４は、制御部２３を実質的に閉じられた空間に収容して、制御部２３を外気と隔絶するものである。これにより、第２筐体２３の制御部２３の収容空間内に外気からの埃や塵等が侵入しないように構成している。具体的に第２筐体２４の制御部収容空間は、配線用の孔を除いてその他の部分が閉じられている。なお、図３において制御部２３とＬＥＤ２１１との間の配線は省略している。
【００２３】
連結部材２５は、図３に示すように、第１筺体２２及び第２筐体２４の互いに対向する面、つまり、第１筺体２２の後端面２２ａと第２筺体２４の先端面２４ａとに接続されて、第１筺体２２及び第２筐体２４を連結するものである。
【００２４】
本実施形態の連結部材２５は３つあり、図４に示すように、正三角形の頂点に位置するように配置され、第１筺体２２の平面状の後端面２２ａと第２筺体２４の平面状の先端面２４ａが略平行となるように連結する。このように複数の連結部材２５を互いに等間隔に設けることによって、温度分布の偏りを防止している。この連結部材２５によって、第１筺体２２の後端面２２ａと第２筺体２４の先端面２４ａとの間に外部に開放された空間を形成する。なお、連結部材２５の少なくとも１つの内部には制御部２３とＬＥＤ２１１とを接続する電源ケーブル（不図示）等が通してある。
【００２５】
ファン機構２６は、第１筐体２２及び第２筐体２４の間の空間及び後述する空気通路２８に、空気の流れを強制的に生じさせるものであり、図３に示すように、第１筺体２２及び第２筐体２４の互いに対向する対向面２２ａ、２４ａの間において、それら対向面２２ａ、２４ａの略中央部に設けられている。つまり、ファン機構２６は、第１筐体２２及び第２筐体２４と略同軸状に設けられている。また、ファン機構２６は、連結部材２５よりも中心側に設けられている。
【００２６】
本実施形態のファン機構２６は、遠心ファン型のものであり、その空気吸込口２６ａが第２筐体２４を向くとともに、空気吐出口２６ｂが対向面２２ａ、２４ａに沿って外側を向くように設けられている。このファン機構２６は、回転モータ（不図示）により回転駆動される回転羽根２６１と、それらを保持するホルダ２６２とを有する。そして、ホルダ２６２が、第１筐体２２の対向面２２ａ又は連結部材２５にねじ等により固定される。
【００２７】
しかして本実施形態のＬＥＤ光源装置１００は、図３及び図４に示すように、第１筐体２２の対向面２２ａ及び第２筐体２４の対向面２４ａの少なくとも一方において、ファン機構２６の周囲に設けられた複数の放熱フィン２７と、第２筐体２４の対向面２４ａにおいて、ファン機構２６の空気吸込口２６ａに対向する位置に一端開口２８ａが形成された空気通路２８とを備える。
【００２８】
本実施形態では、ＬＥＤ２１１の方が制御部２３よりも高温になることを想定しており、複数の放熱フィン２７は第１筐体２２の対向面２２ａに設けられている（図２参照）。放熱フィン２７は、第１筐体２２の後端面２２ａから第２筐体２４に向かって伸びるように設けられている。なお、放熱フィン２７は第２筐体２４には非接触である。
【００２９】
また、各放熱フィン２７は、図４に示すように、ファン機構２６を中心として放射状に設けられた概略湾曲状をなすものであり、全ての放熱フィン２７は略同一形状としている。このようにファン機構２６を取り囲むように複数の放熱フィン２７を設けることによって、外観上ファン機構２６を見えにくくすることにより、ＬＥＤ光源装置１００の美観を損なうことなく、またファン機構２６に指が触れることを防止して安全性を担保している。
【００３０】
そして、放熱フィン２７は、例えば銅又はアルミニウム等の高熱伝導率を有する金属を用いて形成される。一方、連結部材２５は、放熱フィン２７よりも熱伝導率の低い材料、例えば樹脂等の断熱部材を用いて形成されている。このような構成により、第１筐体２２及び第２筐体２４が連結部材２５によって実質的に熱分離された状態で連結される。
【００３１】
なお、連結部材２５及び放熱フィン２７の熱伝導率により熱伝導性を異ならせることの他、連結部材２５を細くすることによって、放熱フィン２７に伝わる熱伝達量に比べて、連結部材２５に伝わる熱伝達量を十分に小さくすることによっても第１筐体２２及び第２筐体２４を実質的に熱分離させることも考えられる。或いは、連結部材２５の一部を断熱部材により構成して熱分離するようにしても良い。
【００３２】
次に、空気通路２８及びその周囲の構成について説明する。
【００３３】
また、第２筐体２４に設けられた空気通路２８は、図３に示すように、第２筐体２４の対向面２４ａにおいて、ファン機構２６の空気吸込口２６ａに対向する位置に一端開口２８ａが形成され、第２筐体２４の対向面２４ａとは異なる面に他端開口２８ｂが形成されている。空気通路２８の一端開口２８ａは、ファン機構２６の空気吸込口２６ａに対応する位置、つまり、第２筐体２４の対向面２４ａ（第２筐体２４の先端面）の略中央部に形成されている。また、空気通路２８の他端開口２８ｂは、第２筐体２４の対向面２４ａとは異なる面、具体的には、第２筐体２４の外側周面２４ｂに複数個等間隔に形成されている。
【００３４】
このような空気通路２８が設けられる第２筐体２４は、図３に示すように、概略回転体形状をなし先端側が開口する外壁２４２と、当該外壁２４２の内面から外壁２４２の中心軸に沿って先端側に延設された通路形成壁２４３と、外壁２４２及び通路形成壁２４３の間に形成される開口を塞ぐ先端壁２４４とを有する。そして、外壁２４２、通路形成壁２４３及び先端壁２４４の間に形成される概略円環状の収容空間Ｓ１内に制御部２３が収容される。通路形成壁２４３は、一端が先端側に開口し、内側周面が等断面形状をなす円筒部２４３ａと、当該円筒部２４３ａの他端に連続し、外壁２４２の内側周面に繋がるフランジ部２４３ｂとからなる。この円筒部２４３ａの先端側開口が空気通路２８の一端開口２８ａを構成する。また、フランジ部２４３ｂの下側の外壁２４２に空気通路２８の他端開口２８ｂが複数個形成されている。
【００３５】
本実施形態の制御部２３は、略円環状をなす制御基板２３１と当該制御基板２３１上に配置された制御器２３２とからなり、当該制御基板２３１は第２筐体２４と略同軸に配置され、その中央の孔が、空気通路２８の一端開口２８ａを囲むように第２筐体２４に収容されている。つまり、制御基板２３１は、通路形成壁２４２の周囲を囲むように、当該通路形成壁２４２と略同軸に配置されている。
【００３６】
この収容空間Ｓ１内に収容された制御基板２３１は、第２筐体２４の先端壁２４４（先端面２４ａを形成する壁）に接触して設けられた略円環状をなす伝熱部材２９に接触して設けられている。この伝熱部材２９は、例えばシリコン等の粘弾性を有する材料から形成されている。また、伝熱部材２９は、平面視における形状が、平面視における制御基板２３１の形状と略同一である。このように制御基板２３１を伝熱部材２９を介して第２筐体２４の先端壁２４４に接触させることにより、制御基板２３１の熱を先端壁２４４に伝え易くできる。また、伝熱部材２９が粘弾性を有することから、制御基板２３１表面に形成された回路パターンや半田付け等により生じる凹凸によらず隙間なく接触させることができ、制御基板２３１の熱を一層伝え易くすることができる。
【００３７】
また、制御部２３を収容する収容空間Ｓ１は、外壁２４２、通路形成壁２４３及び先端壁２４４により形成されたほぼ閉ざされた空間であり、空気通路２８を流れる空気に含まれる塵、埃等が制御部２３に付着や堆積等して制御部２３の動作不良や故障を防止している。
【００３８】
次に、本実施形態のＬＥＤ光源装置１００の伝熱態様について説明する。
【００３９】
ＬＥＤ２１１により生じる熱は、ＬＥＤ基板２１を介して第１筺体２２の後端壁２２１に伝わる。なお、ＬＥＤ基板２１は第１筺体２２の後端壁２２１に熱的に接続されている。具体的にはＬＥＤ基板２１の裏面は第１筺体２２の後端壁２２１に面接触して設けられている。そして、第１筺体２２の後端壁２２１に伝わった熱は、第１筺体２２の後端面２２ａに設けられた放熱フィン２６に伝達される。なお、このとき、ファン機構２５の熱伝導率よりも放熱フィン２６の熱伝導率が大きいので、第１筺体２２の後端壁２２１に伝わった熱のほぼ全てが、放熱フィン２６に伝熱される。このとき、ファン機構２５により、空気通路２７を介して放熱フィン２６に空気が送られることによって、ＬＥＤ２１１から放熱フィン２６に伝熱された熱は外部に放出される。
【００４０】
一方、制御部２３により生じる熱は、制御基板２３１及び伝熱部材２９を介して第２筐体２４の先端壁２４４に伝わる。そして、先端壁２４４に伝わった熱は、放熱ファン２６により流れる空気によって外部に放熱される。また、制御部２３により生じる熱は、通路形成壁２４３にも伝わる。そして、通路形成壁２４３に伝わった熱は、空気通路２８を流れる空気によって外部に放熱される。このように、制御部２３により生じる熱は、第２筐体２４の先端壁２４４及び通路形成壁２４３の両方から外部に放熱されることになり、制御部２３を好適に冷却することができる。このとき、通路形成壁２４３と制御基板２３１とは同軸上に配置されているので、制御基板２３１から通路形成壁２４３に伝わる熱を周方向で均一にすることができ、制御基板２３１を均一に冷却することができる。
【００４１】
＜本実施形態の効果＞
このように構成した本実施形態に係るＬＥＤ光源装置１００によれば、ＬＥＤ基板２１を第１筐体２２に収容し、制御部２３を第２筐体２４に収容するとともに、それら筐体２２、２４を実質的に熱分離した状態で連結しているので、ＬＥＤ２１１からの熱を制御部２３に伝えにくくするとともに、制御部２３からの熱をＬＥＤ２１１に伝えにくくすることができる。このような構成により、更に両方の許容温度に応じたフィン形状をそれぞれ最適なものにすることによって、ＬＥＤ２１１と制御部２３とを個別に温度制御できるようになり、ＬＥＤ２１１と制御部２３とをそれぞれ最適な動作温度に調整できる。
【００４２】
また、第２筐体２４に設けた空気通路２８の一端開口をファン機構２６の空気吸込口２６ａに対向した位置に設けているので、ファン機構２６への空気の供給も十分に行うことができるとともに、ファン機構２６の吸気負担を軽減することができる。さらに第２筐体２４内に空気が流れることになり第２筐体２４及び制御部２３を冷却することもできる。このとき、制御部２３の制御基板２３１が略円環状をなし、当該制御基板２３１の中央の孔を通るように空気通路２８が形成されるとともに、その通路形成壁が制御基板２３１を収容する収容空間と空気通路２８とを仕切るものであるため、空気通路２８を空気が通る際に、通路形成壁から制御部２３の熱を奪うことになり、制御部２３を効率良く冷却することができる。
【００４３】
さらに、通路形成壁により収容空間と空気通路２８とが仕切られているため、空気中に含まれる塵や埃が制御部２３に付着や堆積等して制御部２３が故障してしまう恐れを防ぐことができる。
【００４４】
その上、ファン機構２６の空気吐出口２６ｂを対向面２２ａに沿って外側を向くように設け、このファン機構２６を取り囲むように複数の放熱フィン２７が設けているので、放熱フィン２７の間に十分な空気を供給することができ、冷却効果を向上させることができる。
【００４５】
その上、空気通路２８の他端開口２８ｂが、第２筐体２４の対向面２４ａとは異なる面に設けられていることから、放熱フィン２７を通り暖まった空気が再び空気通路２８に流れ込むことを防止することができる。
【００４６】
＜その他の変形実施形態＞
なお、本発明は前記実施形態に限られるものではない。
【００４７】
例えば、放熱フィンは、放射状に配置した湾曲状をなすものの他、図５に示すように、ファン機構を中心として放射状に配置した平板状をなすものであっても良い。また、平板状の放熱フィンを互いに平行となるように配置しても良い。その他、図６に示すように、放熱フィンを直線細棒状としても良い。
【００４８】
また、前記実施形態では、放熱フィンを第１筐体の対向面にのみ設ける構成としているが、制御部の冷却性能を向上させるために第２筐体の対向面に放熱フィンを設けるようにしても良い。ＬＥＤ及び制御部の冷却性能を向上させるために、図７に示すように、第１筐体の対向面及び第２筐体の対向面の両方に放熱フィンを設けても良い。
【００４９】
このとき、ＬＥＤと制御部の温度バランスに応じて、各対向面に設けられる放熱フィンの長さ等の形状を決定するようにしても良い。例えばＬＥＤの方が制御部よりも高温であれば、第１筐体の放熱フィンを第２筐体の放熱フィンよりも長くする。このとき、それらの温度が大きく異なる場合には、第２筐体２４の放熱フィン２７を、先端壁２４４又はこれに平行に設けられた平板としても良い。又は、制御部２３の方がＬＥＤ２１１よりも高温であれば、第２筐体の放熱フィンを第１筐体の放熱フィンよりも長くする。また、ＬＥＤ２１１及び制御部２３が同程度の動作温度であれば、第１放熱フィン及び第２放熱フィンの長さを略同じにする。さらに具体的に言うと、ＬＥＤ２１１の許容温度及びＬＥＤ２１１の実際の動作温度の差と、制御部２３の許容温度及び制御部２３の実際の動作温度の差とがそれぞれ略等しくなるように放熱フィン２７の長さ等の形状を決定するようにする。
【００５０】
さらに、ファン機構２６の故障を検知する故障検知部を設けても良い。この故障検知部は、例えばファン機構２６内のモータの通電状態を検出することによってファン機構２６の故障を検知するものであり、その検知信号を制御部２３に出力する。そして、検知信号を受信した制御部２３は、その検知信号がファン機構２６の故障を示すものの場合に、ＬＥＤ２１１への通電を停止することによりＬＥＤ２１１の点灯を停止する。この故障検知部は、制御部の制御基板上に配置することが考えられる。これならば、ファン機構２５の故障後にＬＥＤ２１１を点灯し続けて、ＬＥＤ２１１及び制御部２３それぞれに熱が生じて高温になりＬＥＤ２１１及び制御部２３が故障してしまうことを防止することができる。
【００５１】
前記実施形態では、連結部材とファン機構とが別部材により構成されているが、その他、図７に示すように、ファン機構のケーシングを連結部材として用いて、ファン機構により第１筐体及び第２筐体を実質的に熱分離した状態で連結するように構成しても良い。
【００５２】
加えて、ファン機構２６を、その空気吸込口２６ａが対向面２２ａ、２４ａに沿って外側を向くとともに、空気吐出口２６ｂが第２筐体２４を向くように設けても良い。この場合、外部の空気が放熱フィン２７の間を通過してファン機構２６を吸い込まれた後に、空気通路２８を通って、再び外部に流れ出る。
【００５３】
その上、前記実施形態の第１筐体２２及び第２筐体２４の互いに対向する面（後端面２２ａ及び先端面２４ａ）は平面状をなすものであったが、少なくとも一方の面が凹状面又は凸状面をなすものであっても良い。
【００５４】
さらに加えて、放熱フィン２７の形成方法としては、図８に示すように、平板状のフィン形成部材Ｍに切り込みＭ１を入れて、その切り込み部分を略直角に折り曲げることによって放熱フィン２６を形成することが考えられる。このように加工されたフィン形成部材Ｍを第１筐体２２の後端面２２ａに密着させる。
【００５５】
また、電球型のみならず、ダイクロハロゲン置き換えのスポットライトタイプのものでも構わない。
【００５６】
その他、本発明は前記実施形態に限られず、その趣旨を逸脱しない範囲で種々の変形が可能であるのは言うまでもない。
【符号の説明】
【００５７】
１００・・・ＬＥＤ光源装置
２１１・・・ＬＥＤ
２１  ・・・ＬＥＤ基板
２２  ・・・第１筐体
２３  ・・・制御部
２４  ・・・第２筐体
２２ａ・・・第１筐体の対向面
２４ａ・・・第２筐体の対向面
２５  ・・・連結部材
２６  ・・・ファン機構
２６ａ・・・空気吸込口（空気吸込側）
２６ｂ・・・空気吐出口（空気吐出側）
２７  ・・・放熱フィン
２８  ・・・空気通路
２８ａ・・・一端開口
２８ｂ・・・他端開口
【要約】
【課題】ＬＥＤとＬＥＤを制御する制御部とを熱的に分離して互いに熱影響を与えにくくするとともに、両方の許容温度に応じたフィン形状をそれぞれ最適なものにする。
【解決手段】ＬＥＤ基板２１を実質的に閉じられた空間に収容する第１筐体２２と、ＬＥＤ２１１を制御する制御部２３を実質的に閉じられた空間に収容する第２筐体２４と、第１筐体２２及び第２筐体２４を実質的に熱分離して連結する連結部材２５と、第１筐体２２及び第２筐体２４の互いに対向する対向面の間に設けられたファン機構２６と、第１筐体２２の対向面２２ａにおいて、ファン機構２６の周囲に設けられた放熱フィン２７と、第２筐体２４の対向面２４ａにおいてファン機構２６の空気吸込側２６ａに対向する位置に一端開口２８ａが形成され、第２筐体２４の対向面２４ａとは異なる面に他端開口２８ｂが形成された空気通路２８とを備える。
【選択図】図２【図１】
0004679669.tif 000002
【図２】
0004679669.tif 000003
【図３】
0004679669.tif 000004
【図４】
0004679669.tif 000005
【図５】
0004679669.tif 000006
【図６】
0004679669.tif 000007
【図７】
0004679669.tif 000008
【図８】
0004679669.tif 000009